(57)【要約】【課題】デジタル音楽プレーヤーを受信可能であり、ブルートゥース機能付き携帯電話と交信可能であり、且つ無線イヤホーンにて音声を聞くことができ、マイクロホンにて他人と交信可能である。【解決手段】メガネ筐体と、二つのメガネ支持枠とから構成され、前記二つのメガネ支持枠のユーザの耳に向いている箇所では無線イヤホーンが設けてあり、前記二つのメガネ支持枠のうちの一つは、その内部にＦＭ受信機が設けてあり、外側には、ＬＣＤディスプレーと、受信周波数および音量を調整するための制御スイッチとがそれぞれ設けてあり、前記二つのメガネ支持枠のうちのもう一つは、その内部にはブルートゥース機能付き携帯電話と交信可能のブルートゥース交信モジュールが設けてあり、そして信号を前記ブルートゥース交信モジュールに伝送するためのマイクロホンが設けてあることを特徴とする受信機能付きメガネ。【選択図】図１
0003140230.tif 000002
【実用新案登録請求の範囲】
【請求項１】
メガネ筐体と、二つのメガネ支持枠とから構成され、
前記二つのメガネ支持枠のユーザの耳に向いている箇所では無線イヤホーンが設けてあり、
前記二つのメガネ支持枠のうちの一つは、その内部にＦＭ受信機が設けてあり、
外側には、ＬＣＤディスプレーと、受信周波数および音量を調整するための制御スイッチとがそれぞれ設けてあり、
前記二つのメガネ支持枠のうちのもう一つは、その内部にはブルートゥース（登録商標）機能付き携帯電話と交信可能のブルートゥース交信モジュールが設けてあり、
そして信号を前記ブルートゥース交信モジュールに伝送するためのマイクロホンが設けてあり、
電源が前記ＦＭ受信機と前記ブルートゥース交信モジュールとに電力を供給することを特徴とする、
受信機能付きメガネ。
【請求項２】
前記無線イヤホーンは、メガネ支持枠の下に位置されユーザの耳へ近接する延長段と、受話器部とを含み、前記延長段は、前記受話器部の内部に嵌め設けられ、前記受話器部に枢着されることを特徴とする、請求項１に記載の受信機能付きメガネ。
【請求項３】
前記延長段の上では枢着ロッドが設けてあり、前記受話器部は二つの蓋を結合して構成され、前記二つの蓋の内面には溝が設けてあり、前記延長段が前記溝に嵌められ、且つ前記溝の前記延長段にある枢着ロッドに対応する箇所では、前記枢着ロッドを収容する収容溝が設けてあることを特徴とする、請求項１に記載の受信機能付きメガネ。
【請求項４】
前記電源は使い捨て式電池であることを特徴とする、請求項１に記載の受信機能付きメガネ。
【請求項５】
前記電源は、充電式電池であって、且つ第一メガネ支持枠に設けられた充電ソケットにて外部の電源と接続して充電式電池を充電可能であることを特徴とする、請求項１に記載の受信機能付きメガネ。
【考案の詳細な説明】
【技術分野】
【０００１】
本考案は、受信機能付きメガネに係り、特に、メガネの二つのメガネ支持枠に設けられたＦＭ受信機およびブルートゥース（登録商標）交信モジュールにより、デジタル音楽プレーヤー（例えばＭＰ３プレーヤー）を受信可能であり、ブルートゥース機能付き携帯電話と交信可能であり、且つ前記メガネ支持枠に設けられた無線イヤホーンにて音声を聞くことができ、そしてマイクロホンにて他人と交信可能である受信機能付きメガネに関するものである。
【背景技術】
【０００２】
目下、流行を追求する国民は、自分の好み及び進出の場所によって、相違な服装とメガネととを選んで着用することにより、自分の魅力を他人にアピールする。あるメーカは、メガネの支持枠にラジオを作り込み、有線イヤホーンを前記ラジオのソケットに挿入することにより、ユーザは歩きながらラジオ放送を聴くことができる。
【考案の開示】
【考案が解決しようとする課題】
【０００３】
しかしながら、これは次のような欠点があった。
（イ）デジタル電子製品の技術の進歩は極めて速い速度で進んでいるので、携帯式デジタル電子製品（例えばＭＰ３プレーヤーや携帯電話など）の流通量が大幅に増加して普及するようになり、だから、ラジオ放送だけを聴き可能な上記のものは流行しなくなった。だが、現在の流行しているＭＰ３プレーヤーは、有線イヤホーンのケーブルの長さがユーザの身長の約半分であるので、ユーザの活動に迷惑を掛けることがあった。
【０００４】
（ロ）現在の携帯電話は、どんどんブルートゥース技術を採用するので、ブルートゥース・イヤホーンにて電話を応答することが多くなり、しかし、ブルートゥース・イヤホーンとメガネ支持枠とは、ユーザの耳に掛けることが必要であるが、従来のものによれば、メガネ支持枠とブルートゥース・イヤホーンとは同時にユーザの耳に掛けることができない。
【課題を解決するための手段】
【０００５】
上記欠点を解決するためになされた本願の第１考案は、メガネ筐体と、二つのメガネ支持枠とから構成され、前記二つのメガネ支持枠のユーザの耳に向いている箇所では無線イヤホーンが設けてあり、前記二つのメガネ支持枠のうちの一つは、その内部にＦＭ受信機が設けてあり、外側には、ＬＣＤディスプレーと、受信周波数および音量を調整するための制御スイッチとがそれぞれ設けてあり、前記二つのメガネ支持枠のうちのもう一つは、その内部にはブルートゥース機能付き携帯電話と交信可能のブルートゥース交信モジュールが設けてあり、そして信号を前記ブルートゥース交信モジュールに伝送するためのマイクロホンが設けてあり、電源が前記ＦＭ受信機と前記ブルートゥース交信モジュールとに電力を供給することを特徴とする受信機能付きメガネであることを要旨としている。
【０００６】
本願の第２考案は、前記無線イヤホーンは、メガネ支持枠の下に位置されユーザの耳へ近接する延長段と、受話器部とを含み、前記延長段は、前記受話器部の内部に嵌め設けられ、前記受話器部に枢着されることを特徴とする本願の第１考案に記載の受信機能付きメガネであることを要旨としている。
【０００７】
本願の第３考案は、前記延長段の上では枢着ロッドが設けてあり、前記受話器部は二つの蓋を結合して構成され、前記二つの蓋の内面には溝が設けてあり、前記延長段が前記溝に嵌められ、且つ前記溝の前記延長段にある枢着ロッドに対応する箇所では、前記枢着ロッドを収容する収容溝が設けてあることを特徴とする本願の第１考案に記載の受信機能付きメガネであることを要旨としている。
【０００８】
本願の第４考案は、前記電源は使い捨て式電池であることを特徴とする本願の第１考案に記載の受信機能付きメガネであることを要旨としている。
【０００９】
本願の第５考案は、前記電源は、充電式電池であって、且つ第一メガネ支持枠に設けられた充電ソケットにて外部の電源と接続して充電式電池を充電可能であることを特徴とする本願の第１考案に記載の受信機能付きメガネであることを要旨としている。
【考案の効果】
【００１０】
本考案の受信機能付きメガネによれば、次のような効果がある。
（イ）ユーザは、ＦＭ受信機と無線イヤホーンとを有するメガネを掛けるので、有線イヤホーンの使用が必要なくなり、活動が利便になる。
【００１１】
（ロ）本考案のメガネは、ブルートゥース交信モジュールと、マイクロホンと、無線イヤホーンとを有するので、メガネとブルートゥース機能付き携帯電話とは交信可能であり、ユーザは本考案のメガネにて着信に応答可能になる。
【考案を実施するための最良の形態】
【００１２】
以下、添付図面を参照して本考案の好適な実施の形態を詳細に説明する。
【実施例】
【００１３】
まず、図１を参照する。図１は本考案の全体の構造を示す外観斜視図である。本考案の受信機能付きメガネは、メガネ筐体１１と、前記メガネ筐体１１に枢着された二つの支持枠１２，１３と、ＦＭ受信機１２１と、ＬＣＤディスプレー１２２と、制御スイッチ１２３と、電源１３３と、充電ソケット１３４と、無線イヤホーン１４となどから構成される。
【００１４】
前記二つのメガネ支持枠１２，１３のユーザの耳に向いている箇所では無線イヤホーン１４が設けてあり、前記無線イヤホーン１４は、メガネ支持枠１２，１３の下に位置されユーザの耳へ近接する延長段１４１と、二つの蓋を結合して構成された受話器部１４２とを含み、前記延長段１４１の上では枢着ロッド１４３が設けてあり、前記受話器部１４２の二つの蓋の内面には、前記延長段１４１の枢着ロッド１４３を収容する枢着溝１４４が設けてあり、このような構成により、前記延長段１４１が前記受話器部１４２に枢着されるようになり、前記受話器部１４２が必要によって調整可能である。
【００１５】
前記二つのメガネ支持枠１２，１３のうちの一つのメガネ支持枠１２は、その内部にＦＭ受信機１２１が設けてあり、前記ＦＭ受信機１２１は、デジタル音楽プレーヤー（例えばＭＰ３プレーヤー）と接続している無線放送機から放送された信号を受信可能であり、前記無線イヤホーン１４にて音楽を聴くことができる。
【００１６】
メガネ支持枠１２の外側には、前記ＦＭ受信機１２１の受信周波数を表示するためのＬＣＤディスプレー１２２と、受信周波数および音量を調整するための制御スイッチ１２３とがそれぞれ設けてある。
【００１７】
前記二つのメガネ支持枠１２，１３のうちのもう一つのメガネ支持枠１３は、その内部にはブルートゥース機能付き携帯電話と交信可能のブルートゥース交信モジュール１３１が設けてあり、前記無線イヤホーン１４にて着信に応答することができる。
【００１８】
そしてメガネ支持枠１３には、音声信号を前記ブルートゥース交信モジュール１３１に伝送するためのマイクロホン１３２が設けてあり、このような構成により、音声信号をブルートゥース機能付き携帯電話に伝送することができ、だから、着信に応答することができる。また、前記マイクロホン１３２はユーザの口の近傍に設置される。
【００１９】
また、メガネ支持枠１３の電源１３３は、前記ＦＭ受信機１２１と前記ブルートゥース交信モジュール１３１とに電力を供給するためのものであり、それきり式電池を採用してもいいし、充電式電池を採用してもよく、且つ充電式電池を採用する場合には、第一メガネ支持枠１３に設けられた充電ソケット１３４にて外部の電源と接続して充電式電池を充電可能である。
【００２０】
上記のような構成によれば、本考案の受信機能付きメガネを着用するときには、メガネ支持枠１２，１３がユーザの耳に掛けられ、メガネ支持枠１２，１３に連接された無線イヤホーン１４の受話器部１４２がユーザの耳に対応し、なお、メガネ支持枠１３にあるマイクロホン１３２がユーザの口に対応し、だから、ＦＭ受信機１２１とブルートゥース交信モジュール１３１とを起動すると、本考案のメガネは、受信機能と、ブルートゥース機能付き携帯電話と交信する機能とを持つようになる。
【００２１】
また、図４を参照する。図４は本考案の使用状態を示す概略図１である。本考案の受信機能付きメガネ１は、電源１３３をオンにした後、メガネ支持枠１２に設けられたＦＭ受信機１２１は、一般のＦＭ放送を受信できると共に、デジタル音楽プレーヤー（例えばＭＰ３プレーヤー）と接続している無線放送機から放送された信号を受信可能であり、前記無線イヤホーン１４にて音楽を聴くことができ、そしてメガネ支持枠１２の外側に設けられたＬＣＤディスプレー１２２にて受信周波数を見ることができ、且つ制御スイッチ１２３により、受信周波数および音量を調整することができる。
【００２２】
また、図５を参照する。図５は本考案の使用状態を示す概略図２である。本考案の受信機能付きメガネ１は、電源１３３をオンにした後、メガネ支持枠１３に設けられたブルートゥース交信モジュール１３１にて、ブルートゥース機能付き携帯電話と交信可能であり、前記無線イヤホーン１４と、メガネ支持枠１３に設けられたマイクロホン１３２とにより、着信に応答することもできる。
【図面の簡単な説明】
【００２３】
【図１】本考案の全体の構造を示す外観斜視図である。
【図２】本考案の無線イヤホーンの構造を示す概略図である。
【図３】本考案の一つのメガネ支持枠の側面概略図である。
【図４】本考案の使用状態を示す概略図１である。
【図５】本考案の使用状態を示す概略図２である。
【符号の説明】
【００２４】
１        メガネ
１１      メガネ筐体
１２，１３    メガネ支持枠
１４      無線イヤホーン
１２１    ＦＭ受信機
１２２    ＬＣＤディスプレー
１２３    制御スイッチ
１３１    ブルートゥース交信モジュール
１３２    マイクロホン
１３３    電源
１３４    充電ソケット
１４１    延長段
１４２    受話器部
１４３    枢着ロッド
１４４    枢着溝
【図１】
0003140230.tif 000003
【図２】
0003140230.tif 000004
【図３】
0003140230.tif 000005
【図４】
0003140230.tif 000006
【図５】
0003140230.tif 000007
【手続補正書】
【提出日】平成17年8月5日(2005.8.5)
【手続補正１】
【補正対象書類名】実用新案登録請求の範囲
【補正対象項目名】全文
【補正方法】変更
【補正の内容】
【実用新案登録請求の範囲】
【請求項１】
メガネ筐体と、前記メガネ筐体に枢着される、第一メガネ支持枠および第二メガネ支持枠と、前記第一メガネ支持枠内に設けられ、無線信号を接収するＦＭ受信機と、前記第一メガネ支持枠と第二メガネ支持枠とにそれぞれ接続され、且つ前記ＦＭ受信機と連接し、ユーザがメガネを着用しているときに、ユーザの耳の近傍に位置され、そして延長段と、受話器部とを含み、前記延長段の一端が前記第一メガネ支持枠に連接され、前記延長段の他端が前記受話器部の内部に連接され、前記各延長段に枢着ロッドが設けてあり、前記受話器部は二つの蓋を結合して構成され、前記二つの蓋の内面には前記枢着ロッドを収容するための溝が設けてある一対の無線イヤホーンと、前記第一メガネ支持枠の外側に設置されるＬＣＤディスプレーと、前記第一メガネ支持枠に設置され、音量を調整し、そして前記ＦＭ受信機の受信周波数を調整する制御スイッチと、前記第二メガネ支持枠の内部に設けられ、前記無線イヤホーンに接続され、外部にあるブルートゥース（登録商標）装置からの信号を接収可能であり、且つ外部にあるブルートゥース装置に信号を伝送可能であるブルートゥース交信モジュールと、前記第二メガネ支持枠に設けられ、前記ブルートゥース交信モジュールと電気的に連結するマイクロホンと、前記第二メガネ支持枠内に設けられ、前記ＦＭ受信機と前記ブルートゥース交信モジュールとに電力を供給する電源と、を含むことを特徴とする、受信機能付きメガネ。
【請求項２】
前記電源は使い捨て式電池であることを特徴とする、請求項１に記載の受信機能付きメガネ。
【請求項３】
前記電源は、充電式電池であって、且つ第一メガネ支持枠に設けられた充電ソケットにて外部の電源と接続して充電式電池を充電可能であることを特徴とする、請求項１に記載の受信機能付きメガネ。
【手続補正２】
【補正対象書類名】明細書
【補正対象項目名】０００５
【補正方法】変更
【補正の内容】
【０００５】  上記欠点を解決するためになされた本願の第１考案は、メガネ筐体と、前記メガネ筐体に枢着される、第一メガネ支持枠および第二メガネ支持枠と、前記第一メガネ支持枠内に設けられ、無線信号を接収するＦＭ受信機と、前記第一メガネ支持枠と第二メガネ支持枠とにそれぞれ接続され、且つ前記ＦＭ受信機と連接し、ユーザがメガネを着用しているときに、ユーザの耳の近傍に位置され、そして延長段と、受話器部とを含み、前記延長段の一端が前記第一メガネ支持枠に連接され、前記延長段の他端が前記受話器部の内部に連接され、前記各延長段に枢着ロッドが設けてあり、前記受話器部は二つの蓋を結合して構成され、前記二つの蓋の内面には前記枢着ロッドを収容するための溝が設けてある一対の無線イヤホーンと、前記第一メガネ支持枠の外側に設置されるＬＣＤディスプレーと、前記第一メガネ支持枠に設置され、音量を調整し、そして前記ＦＭ受信機の受信周波数を調整する制御スイッチと、前記第二メガネ支持枠の内部に設けられ、前記無線イヤホーンに接続され、外部にあるブルートゥース（登録商標）装置からの信号を接収可能であり、且つ外部にあるブルートゥース装置に信号を伝送可能であるブルートゥース交信モジュールと、前記第二メガネ支持枠に設けられ、前記ブルートゥース交信モジュールと電気的に連結するマイクロホンと、前記第二メガネ支持枠内に設けられ、前記ＦＭ受信機と前記ブルートゥース交信モジュールとに電力を供給する電源と、を含むことを特徴とする、受信機能付きメガネであることを要旨としている。
【手続補正３】
【補正対象書類名】明細書
【補正対象項目名】０００６
【補正方法】削除
【手続補正４】
【補正対象書類名】明細書
【補正対象項目名】０００７
【補正方法】削除
【手続補正５】
【補正対象書類名】明細書
【補正対象項目名】０００８
【補正方法】変更
【補正の内容】
【０００８】  本願の第２考案は、前記電源は使い捨て式電池であることを特徴とする本願の第１考案に記載の受信機能付きメガネであることを要旨としている。
【手続補正６】
【補正対象書類名】明細書
【補正対象項目名】０００９
【補正方法】変更
【補正の内容】
【０００９】  本願の第３考案は、前記電源は、充電式電池であって、且つ第一メガネ支持枠に設けられた充電ソケットにて外部の電源と接続して充電式電池を充電可能であることを特徴とする本願の第１考案に記載の受信機能付きメガネであることを要旨としている。